(57)【要約】【課題】胸部Ｘ線用の画像読取装置で搬送可能なフィルムサイズのシートに歯科用Ｘ線フィルムを保持する為のポケットを設け、その中に歯科用Ｘ線フィルムを挿入することにより、従来の胸部Ｘ線用の画像読取装置で歯科用Ｘ線フィルムを読み取り可能にする。【解決手段】シート材にバーコードシールとポケットを備えた歯科用Ｘ線フィルムホルダ及びローラ対のローラがフィルムホルダのポケットの無い領域に配置されたシート供給装置及び画像読取装置。【選択図】        図７
2005012507.tif 000002
【特許請求の範囲】
【請求項１】
透明なシート材に患者情報を記載したバーコードシールと透明なポケットを備え、前記ポケットに歯科用Ｘ線フィルムを挿入する構成とした歯科用Ｘ線フィルムホルダであり、胸部Ｘ線フィルム用画像読取装置等の汎用の画像読取装置で搬送可能な形態としたもの。
【請求項２】
前記ポケットに前記歯科用Ｘ線フィルムを挿入した際に、前記ポケットの近傍に前記Ｘ線フィルムの情報を記載するシールを備えたことを特徴とする請求項１記載のフィルムホルダ。
【請求項３】
前記Ｘ線フィルムの情報を記載するシールがバーコードシールである請求項２記載のフィルムホルダ。
【請求項４】
前記バーコードシールは透明フィルムにバーコードを印刷した構成したことを特徴とする請求項１及び３記載のフィルムホルダ。
【請求項５】
前記フィルムホルダを支持するホルダ保持体と、前記フィルムホルダを吸着する複数個の吸盤を備えた吸盤保持部材と、該吸盤保持部材を前記シート保持体に対して相対運動する吸盤駆動手段と、前記フィルムホルダを搬送するローラ対を備えたシート供給装置において、
前記ローラ対のローラを前記フィルムホルダのポケットの無い領域に配置した事を特徴とするシート供給装置。
【請求項６】
バーコード読取手段を備えた事を特徴とする請求項５記載のシート供給装置。
【請求項７】
前記バーコード読取手段がレーザバーコードリーダであることを特徴とする請求項６記載のシート供給装置。
【請求項８】
請求項７記載のシート供給装置を備えた事を特徴とする画像読取装置。
【請求項９】
請求項５記載のシート供給装置を備え前記バーコードを画像読取後の画像処理により認識することを特徴とする画像読取装置。
【発明の詳細な説明】
【０００１】
【発明の属する技術分野】
本発明は、歯科用Ｘ線フィルムを画像読取装置に供給するためのフィルムホルダと、そのフィルムホルダを搬送可能なシート供給装置及び該装置を用いた画像読取装置に関するものである。
【０００２】
【従来の技術】
汎用のフラットベッド型のスキャナを用いて画像の読み取りを行うか、特開平８−３７６１８に記載されている原稿ホルダのキャリッジに１枚ずつフィルムを挿入して画像を読み取っていた。
【０００３】
【特許文献１】
特開平０７−２３４９３０号公報
【特許文献２】
特開平１０−２５４０９２号公報
【特許文献３】
特開平１１−０１５１１２号公報
【０００４】
【発明が解決しようとする課題】
歯科用Ｘ線フィルムは２２×３５ｍｍ〜５７×７６ｍｍの非常に小さいサイズである為、フィルムの読み取りや保管を行う際に非常に扱い辛かった。また、大量のＸ線フィルムを扱うのには不向きであった。
【０００５】
本発明の目的は、上記問題を解決し、胸部Ｘ線用の画像読取装置で搬送可能なフィルムサイズのシートに歯科用Ｘ線フィルムを保持する為のポケットを設け、その中に歯科用Ｘ線フィルムを挿入することにより、従来の胸部Ｘ線用画像読取装置で歯科用Ｘ線フィルムを読み取り可能にすることである。
【０００６】
【課題を解決するための手段】
上述の目的を達成するための本発明に係わるフィルムホルダは、シート材にバーコードシールとポケットを備えた歯科用Ｘ線フィルムホルダで、前記シート材と前記ポケットと前記バーコードシールを透明フィルムで構成し、前記バーコードシールは患者情報やフィルム情報を示す事を特徴とする。
【０００７】
また、本発明のシート供給装置及び画像読取装置は、ローラ対のローラがフィルムホルダのポケットの無い領域に配置されているのでフィルムホルダを搬送する際にポケットが搬送性能に悪影響を及ぼす事がなく、安定したフィルムホルダの搬送が可能である。
【０００８】
【発明の実施の形態】
本発明のフィルムホルダ１１を図１に図示の第１の実施例に基づいて詳細に説明する。シート１０上には、ポケットＰ１〜Ｐ１０が設けられており、そのポケット内には歯科用Ｘ線フィルムＦ１〜Ｆ８が納められており、その下部にはフィルム情報を示すシールＳ１〜Ｓ８が貼付けられている。またシート１０の隅部には患者情報を示すバーコードＢが貼付けられている。
【０００９】
また、フィルムホルダ１１の左右端部にポケットの無い領域を持たせ、後述するシート供給装置や画像読取装置のローラ対５７、５８のローラＲ１、Ｒ２をフィルムホルダ１１のポケットの無い領域に配置したローラ搬送系を用いたシート供給装置によってフィルムホルダ１１を安定して搬送可能な形態にしている。
【００１０】
第１の実施例では、小さい複数のフィルムを患者毎に一つのファイルにまとめられるのでフィルムの整理が楽に行える。また、シート供給装置によって搬送可能な形態となっている為、シート供給装置を用いた画像読取装置によって歯科用Ｘ線フィルム画像の電子化が容易に行える。
【００１１】
次に本発明のシート供給装置を図２〜５に示す第２の実施例に基づいて説明する。
【００１２】
図２は本発明のシート供給装置の斜視図、図３は横断面図、図４は水平断面図であり、台状のシート保持体２１の上面に本発明の歯科用Ｘ線フィルムホルダ１１が積み重ねられている。これらのフィルムホルダ１１の一隅には、バーコードを有するバーコードシールＢが貼付けられ、フィルムホルダ１１にはバーコードシールＢによる盛り上がり部Ｆａが生じている。シート保持体２１の上方には、断面コ字状の吸盤保持部材２２が配置され、この吸盤保持部材２２の底壁にはニップル２３、２４が嵌合固定されている。これらのニップル２３、２４の下部には吸盤２５、２６がそれぞれ装備され、ニップル２３、２４の上部は図示しない真空ポンプに可撓管を介して連結されている。可撓管の途中には図示しない圧力センサが設けられ、この圧力センサによって吸盤２５、２６がフィルムホルダ１１を吸着したことが検出されるようになっている。
【００１３】
シート保持体には、フィルムホルダ１１の大部分を保持する上段部２１ａと、フィルムホルダ１１の盛り上がり部Ｆａの近傍において上段部２１ａよりも低く位置する下段部２１ｂとが設けられ、下段部２１ｂの前部にはフィルムホルダ１１の前端部を当接させる壁面部２１ｃが設けられている。下段部２１ｂの形状は例えば吸盤２５側の面積が大きくなる三角形とされ、下段部２１ａには弾性部材２１ｄが配置されている。この弾性部材２１ｄの表面が上段部２１ａの表面と略一致するような厚さに形成されている。
【００１４】
壁面部２１ｃは後述する画像読取装置の主走査方向に平行に配置され、フィルムホルダ１１が壁面部２１ｃに当接されるようになり、フィルムホルダ１１の位置が規制されると共に、主走査線に対して平行に配置される。そして、例えば吸盤２５側の壁面部２１ｃには爪部２１ｅが設けられ、吸盤２５、２６により吸着されて上方へ移送されたフィルムホルダ１１は、その隅部が爪部２１ｅにより一時的に押さえ付けられることにより、次層のフィルムＦから確実に分離されるようになっている。なお、爪部２１ｅは吸盤２６側にも設けることができる。
【００１５】
吸盤保持部材２２の両側壁には、対向するピン保持孔２２ａとピン案内用長孔２２ｂが形成され、ピン保持孔２２ａにはピン２７が回動自在に挿入され、ピン案内用長孔２２ｂにはピン２８が回動及び摺動自在に挿入されている。そして、吸盤保持部材２２はピン２９により回動自在に交叉支持されたアーム３０、３１により支持されている。アーム３０、３１の下端はピン２７、２８にそれぞれ結合され、アーム３０、３１の上端はそれぞれピン３２、３３を介して上方に位置するアーム保持板３４に支持されている。アーム保持部材３４では、吸盤保持部材２２と同様に、アーム保持部材３４の両側壁に対向して形成されたピン案内用長孔３４ａにピン３２が回動及び摺動自在に挿入され、ピン保持孔３４ｂにピン３３が回動自在に挿入されている。この際に、吸盤保持部材２２はアーム保持部材３４に対して平行に支持されると共に、アーム保持部材３４に対し上下自在とされている。
【００１６】
アーム保持部材３４は回動軸３５に貫通支持され、回動軸３５は図示しないフレームに回動自在に支持されている。回動軸３５にはスライダ３６が軸方向に摺動自在に貫通支持され、スライダ３６の一端にはナット３７が固定されている。ナット３７は回転軸３５に形成されたねじ部３５ａに螺合され、スライダ３６の下部はピン３２に連結されている。アーム保持板３４の一端には歯車３８が固定され、この歯車３８は第１の駆動源３９の歯車４０に噛合されている。回動軸３５の一端には歯車４１が固定され、この歯車４１は第２の駆動源４２の歯車４３に噛合されている。これにより吸盤保持部材２２は回動軸３５の回りに周回自在とされている。そして、第１及び第２の駆動源３９、４２は図示しない制御手段により制御され、吸盤保持部材２２に所望の上下動量、回動量、上下動速度及び回動速度が与えられるようになっている。
【００１７】
この際に、吸盤保持部材２２の上下動と回動の初期位置では、アーム３０、３１は畳まれた状態でアーム保持部材３４内に収容され、吸盤２５、２６はフィルムホルダ１１に対して略平行に位置付けられることが好ましい。また、吸盤２５、２６の初期位置とシート保持体２１までの距離は一定であり、かつフィルムホルダ１１の厚さも一定であるので、吸盤２５、２６の上下動量と圧力センサの吸着検出との換算により最上位のフィルムホルダ１１の高さが検出される。
【００１８】
そして、シート保持体２１の上方にはバーコードシールＢのバーコードを読取るためのレーザ光を使用したバーコードリーダ４４が設けられている。また、バーコードリーダ４４から出射した走査光Ｌを反射してバーコードシールＢに入射させるミラー４５が、吸盤保持部材２２の側面に設けられている。これにより、吸盤保持部材２２が回動した際にミラー４５の位置と角度が変化し、ミラー４５はバーコードリーダ４４から出射した走査光Ｌを所望の方向へ偏向し、シールＳに確実に入射させることが可能となる。
【００１９】
図５（ａ）〜（ｇ）を用いて本発明のシート供給装置の詳細な動作説明を行う。
【００２０】
装置の電源立ち上げ後、搬送機構２０の初期動作が行われ、図５（ａ）に示すように吸盤保持部材２２の上下動と回動の初期位置で停止する。
【００２１】
不図示のスタートスイッチが押されると、（ｂ）に示すように、ミラー４５が固定されている吸盤保持部材２２が回転して、レーザバーコードリーダ４４から出射された走査光Ｌがミラー４５を介してバーコードシールＢに入射し、バーコードシールＢで拡散した後に、ミラー４５を介してレーザバーコードリーダ４４に入射する。レーザバーコードリーダ４４がバーコードシールＢを読取ると、再び（ａ）に示す位置に戻り、吸盤２５を保持した吸盤保持部材２２がシート保持台２１上に載せられたフィルムホルダ１１に向かって下降し、図示しない真空ポンプの動作により、（ｃ）に示すように、吸盤２５がフィルムホルダ１１を吸着する。そして、吸盤保持部材２２が上昇して（ｄ）に示すように、爪部２１ｅがフィルムホルダ１１を次層のフィルムＦから確実に分離し（ｅ）に示す位置で停止する。その後、吸盤保持部材２２が回動し、（ｆ）に示すように、フィルムホルダ１１をガイド板５４、５５の内側を通してローラ対５７に挿し込む。フィルムホルダ１１がローラ対５７に挿し込まれると、（ｇ）に示すようにフィルムホルダ１１の吸着は解除され、吸盤２５、２６はフィルムホルダ１１に干渉しない位置に退避する。
【００２２】
ローラ対５７のローラＲ１，Ｒ２はフィルムホルダ１１のポケットの無い領域に配置されている。
【００２３】
ローラ対５７によるフィルムＦの搬送が終了すると、（ａ）に示す位置に復帰する。
【００２４】
（ｃ）の所でバーコードの読取に失敗した場合には、不図示のポンプが停止すると同時に不図示の開放バルブが開放されフィルムホルダ１１の吸着が解除され、（ａ）に示す位置に復帰する。
【００２５】
この第２の実施例では、ローラ対５７のローラＲ１，Ｒ２はフィルムホルダ１１のポケットの無い領域に配置されているのでフィルムホルダ１１を搬送する際にポケットが搬送性に悪影響を及ぼす事がなく、安定したフィルムホルダ１１の搬送が可能である。
【００２６】
次に本発明の画像読取装置を図６に示す第３の実施例に基づいて説明する。
【００２７】
図６は画像読取装置５０の構成図であり、第１の実施例のシート供給装置が装置本体５１の下部に配置され、レーザバーコードリーダ４４は第一の実施例と同様のシート保持体２１の上方に設けられている。装置本体５１の上部には光学ユニット５２が内蔵され、光学ユニット５２とシート搬送機構２０の間にはフィルムＦを受け入れるためのシート受入体５３が配置されている。シート保持体２１とシート受入体５３の前端面には、円弧状のガイド５４、５５が平行に設けられ、ガイド５４、５５の先端とシート受入体５３の間には副走査機構５６が設けられている。
【００２８】
副走査機構５６では第１のローラ対５７がガイド５４、５５側に設けられ、シート受入体５３側には第２のローラ対５８が設けられ、これらのローラ対５７、５８の何れか一方のローラは、図示しないモータに接続されている。ローラ対５８の不図示のローラもローラ対５７のローラＲ１，Ｒ２と同様にフィルムホルダ１１のポケットの無い領域に配置されているローラ対５７、５８の上部には、接触することにより回転を伝達するためのプーリ５９が設けられ、プーリ５９の下方のローラ対５７、５８の間には、主走査方向にスリットを有する一対のガイド６０と、光学ユニット５２に向けた反射カバー６１を有するランプ６２とが上方から順次に設けられている。
【００２９】
そして、光学ユニット５２にはランプ６２からの光ビームを反射する反射ミラー６３とミラー６３からの光ビームを結像させるレンズ６４と、レンズ６４からの光ビームを受光するＣＣＤ６５とが内蔵されている。
【００３０】
このように構成された画像読取装置５０では、装置本体５１の不図示のスタートボタンを押すと、レーザバーコードリーダ４４がバーコードを読み取り、バーコードを認識すると吸盤２５、２６がフィルムＦを吸着、分離してローラ対５７へ挿し込む。そして吸盤２５、２６はフィルムホルダ１１の吸着を解除して、フィルムホルダ１１に干渉しない位置に退避する。
【００３１】
ここまでの動作の詳細な説明は第２の実施例の説明と重複するために省略する。
その後、第１のローラ対５７はフィルムホルダ１１をガイド６０の間を通して一定速度で第２のローラ対５８に搬送する。
【００３２】
この間に、ランプ６２からの光がフィルムホルダ１１を透過し、その透過光は光学ユニット５１の反射ミラー６３で反射し、レンズ６４を透過してＣＣＤ６５上に入射する。これによりフィルムホルダ１１の画像の読み取りが完了し、その後に第２のローラ対５８がフィルムホルダ１１をシート受入体５３上に排出すると共に、吸盤保持部材２２は初期位置に復帰する。
【００３３】
この第３の実施例の画像読取装置では、第２の実施例のシート供給装置が備えられたため、第２の実施例と同様な効果を得ることができる。
【００３４】
次に、本発明のフィルムホルダ１２を図７に図示の第４の実施例に基づいて詳細に説明する。第１の実施例のフィルムホルダ１１との相違点はポケットＰ１〜Ｐ８の下部に貼付けられていたシールＳ１〜Ｓ８が透明なシールにフィルムの情報を示すバーコードが印字された透明バーコードシールＢ１〜Ｂ８に置き換えられている事と、患者ＩＤを示すバーコードシールＢが同様に透明バーコードシールＢｃに置き換えられている事である。その他の構成は第１の実施例と重複するので説明を省略する。
【００３５】
第４の実施例ではバーコードを透明シールに印刷する事により、画像読取装置でフィルムホルダ１２を処理した場合にＸ線フィルムの画像情報と共に患者ＩＤやフィルム情報をバーコード画像のまま記録する事が可能であり、後の画像処理によってバーコードの情報を復元することが可能となる。
【００３６】
次に、本発明の画像読取装置を図８に図示の第５の実施例に基づいて詳細に説明する。第３の実施例の画像読取装置との相違点はレーザバーコードリーダとミラーが外された事である。
【００３７】
その他の構成は第３の実施例と重複するので説明を省略する。
【００３８】
本実施例の画像読取装置では画像読取終了後に電子化された情報から画像処理によって患者情報を記載したバーコードやフィルム情報を記載したバーコードが認識される。また、画像処理によりフィルムホルダ１２の画像からポケット内に置かれていた歯科用Ｘ線フィルムの画像のみを切り出してファイルする事も可能となり電子化するデータ量を削減する事も可能である。
【００３９】
また、詳しい説明は省略するが、本発明の歯科用フィルムホルダ１１、１２をフラットベット型のスキャナを用いてもよい。
【００４０】
【発明の効果】
以上説明したように本発明に係わるフィルムホルダ１１、１２は小さすぎて管理し辛かった歯科用Ｘ線フィルムを患者毎にホルダにファイルして管理することが可能となる。
【００４１】
また、画像読取装置によって搬送可能な形態とすることにより歯科用Ｘ線フィルムのディジタル化が容易に可能となり、大量のＸ線フィルムを連続して読み取ることが可能となるため、歯科用Ｘ線フィルムの電子ファイルシステム等に応用する事が可能となる。
【図面の簡単な説明】
【図１】第１の実施例の平面図である。
【図２】第２の実施例の斜視図である。
【図３】横断面図である。
【図４】部分水平断面図である。
【図５】（ａ）〜（ｇ）作用説明図である。
【図６】第３の実施例の構成図である。
【図７】第４の実施例の平面図である。
【図８】第５の実施例の構成図である。
【符号の説明】
１０  シート
１１、１２  フィルムホルダ
２１  シート保持体
２２  吸盤保持部材
２５、２６  吸盤
４４  レーザバーコードリーダ
５７、５８  ローラ対
Ｓ１〜Ｓ８  シール
Ｂ，Ｂ０〜Ｂ８  バーコードシール
Ｆ１〜Ｆ８  歯科用Ｘ線フィルム
Ｐ１〜Ｐ１０  ポケット
Ｒ１，Ｒ２  ローラ
【図１】
2005012507.tif 000003
【図２】
2005012507.tif 000004
【図３】
2005012507.tif 000005
【図４】
2005012507.tif 000006
【図５】
2005012507.tif 000007
【図６】
2005012507.tif 000008
【図７】
2005012507.tif 000009
【図８】
2005012507.tif 000010